(57)【特許請求の範囲】
【請求項１】
複数の入力機器を接続することができ、該複数の入力機器から入力される複数種類の入力信号に対して所定の信号処理を実行して複数の出力機器に出力することができるＡＶ装置であって、
該ＡＶ装置を使用して実行させる動作ごとに、該動作を実現するために必要とされる該ＡＶ装置における各種設定及び操作に関する情報からなる組合せ情報が複数記憶されている組合せ情報記憶部と、
前記組合せ情報記憶部に記憶されている組合せ情報が呼び出されるように割り付けられた操作子と、
前記操作子を第１の時間押下することにより、該操作子に割り付けられた組合せ情報に基づいて、対応する制御情報を、入力選択部、信号処理部、出力切替部などに供給する制御部と、
前記操作子を前記第１の時間より充分長い第２の時間押下することにより、前記組合せ情報記憶部に記憶されている組合せ情報を、該記憶されている組合せ情報とは異なる組合せ情報に書き換える手段とを有することを特徴とするＡＶ装置。
【請求項２】
前記組合せ情報は、前記ＡＶ装置の内部機能の制御情報と、前記ＡＶ装置に接続された入力機器を制御する制御情報とを含むことを特徴とする請求項１記載のＡＶ装置。
【発明の詳細な説明】
【技術分野】
【０００１】
本発明は、ＡＶアンプやＡＶレシーバ、ホームシアター向け商品などのＡＶ装置に関する。
【背景技術】
【０００２】
ＡＶアンプやＡＶレシーバなどのホームシアター向けＡＶ装置は、ＤＶＤプレーヤ、ディジタルＴＶチューナ、ケーブルＴＶチューナ、衛星放送チューナ、ＣＤプレーヤ、レコードプレーヤ、ＤＶＤレコーダなどの各種再生機器や録音再生機器を接続して、１台で、ＤＶＤ−Ｖｉｄｅｏ、ＣＤ、ＤＶＤ−Ａｕｄｉｏ、ＳＡＣＤ、Ｖｉｄｅｏ−ＣＤなど多数のメディアを再生することができるものであり、非常に多くの機能を有している。
従来、このような装置においては、入力端子（接続機器）を選択することをベースとする操作体系が用いられていた。すなわち、ユーザーは、ＡＶ装置を使用するときに、どの機械からの音（映像）を出すかを選択する操作（入力切替）を行い、選択した入力に見合う好みの音場効果を選択して使うという操作体系であった。
【０００３】
また、使用頻度の高い設定値などを記憶しておき、瞬時に呼び出して設定するフェイバリット機能や、ＡＶ装置の各種設定や音場プログラムなどを保存し、あとで簡単に呼び出して使うシステムメモリー機能なども知られている。
特許文献１には、ユーザーがあらかじめ設定した機能やパラメータを１回のキー操作で呼び出すようにした機器制御方法が提案されている。
この提案されている機器制御方法によれば、リモコン送信機で操作した入力切換、サラウンドモード切換、グラフィックイコライザの周波数特性の調整、電子ボリウムの音量調整などの各設定内容を記憶し、所定のキー操作により該記憶内容を読み出して各パラメータを読み出された内容に設定することができる。
【特許文献１】特開２００２−１４２２７８号公報
【発明の開示】
【発明が解決しようとする課題】
【０００４】
ＡＶ装置には、分厚い取扱説明書が付属しているが、これは接続機器別に接続の説明が記載されているものであり、ユーザーの目的とする動作（例えば、ＤＶＤで映画を観る）のために必要な設定や操作に関する説明は、別々な場所に断片的に記載されているものであった。
したがって、ユーザーがＡＶ装置を購入してからＡＶ装置に目的の動作をさせるところに行き着くまでには、取扱い説明書での断片的な説明と、ＡＶ機器が有する機能の多さで、頭を抱えてしまい、やりたいことの実現に時間がかかったりしていた。また、元に戻すのが大変なため容易く触れることができず、家族のだれでもが使うことができるというものではなかった。
【０００５】
また、上述したフェイバリット機能は、ある特定の機能や設定値、チャンネル、局などの断片的な記憶であり、全体のシステムで考えるとやりたいことの実現目的達成に直結するものではなかった。
一方、システムメモリー機能は、逆に、全システム設定状態を記憶するので、必要とする記憶容量が大きいものであった。また、ユーザーごとに希望するメモリー内容が異なり、余計な（替えてほしくない）部分までメモリーし、リコールしてしまうこととなる。メモリーしてほしい内容、してほしくない内容がユーザーごとに異なり、それをくみ取ることができないという問題があった。別途、編集メニューを用意して編集させるものも、内容、全項目のなかから必要なものを選択して編集せざるを得ず、知識のある人のみが設定できる内容で、知識の乏しい人にはしきいが高いものであった。
上記提案されている方法によれば、簡単なキー操作で、複数の選択項目やパラメータを一度に設定することができるが、上述したフェイバリット機能やシステムメモリー機能と同様に、最初に何らかの好みによる設定及び機能選択を行ってから、それらを記憶する必要があり、それらを設定、選択する知識が必要とされた。
【０００６】
そこで本発明は、詳しい人が全てを設定してからその設定を記憶し、それを呼び出すというものでなく、装置に詳しくない人でも、装置を購入してすぐに簡単な操作で目的の動作をさせることができるＡＶ装置を提供することを目的としている。
【課題を解決するための手段】
【０００７】
上記目的を達成するために、本発明のＡＶ装置は、複数の入力機器を接続することができ、該複数の入力機器から入力される複数種類の入力信号に対して所定の信号処理を実行して複数の出力機器に出力することができるＡＶ装置であって、該ＡＶ装置を使用して実行させる動作ごとに、該動作を実現するために必要とされる該ＡＶ装置における各種設定及び操作に関する情報からなる組合せ情報が複数記憶されている組合せ情報記憶部と、前記組合せ情報記憶部に記憶されている組合せ情報が呼び出されるように割り付けられた操作子と、前記操作子を第１の時間押下することにより、該操作子に割り付けられた組合せ情報に基づいて、対応する制御情報を、入力選択部、信号処理部、出力切替部などに供給する制御部と、前記操作子を前記第１の時間より充分長い第２の時間押下することにより、前記組合せ情報記憶部に記憶されている組合せ情報を、該記憶されている組合せ情報とは異なる組合せ情報に書き換える手段とを有するものである。
また、前記組合せ情報は、前記ＡＶ装置の内部機能の制御情報と、前記ＡＶ装置に接続された入力機器を制御する制御情報とを含むものである。
【発明の効果】
【０００８】
このような本発明のＡＶ装置によれば、良く使われるシーン（ユーザーからみた使い方）に必要な各種設定及び操作に関する情報がパッケージ化されて提供されており、これを選択するのみで実現目的（シーン）を直観的に実現することができる。
シーンにて必要な設定内容はあらかじめ吟味されているため、最適な条件でシーンを実現することができるので、ユーザーが使用する前に、取り扱い説明書を見ながら難しい設定や操作を覚えたりする必要がない。
また、アクセス性の良いボタンなどの操作子に、一般的に使用頻度の高いシーンの組合せ情報をあらかじめ割り当てておくことにより、購入後すぐに代表的シーンが簡単に実現できる。
例えば、「ＤＶＤで映画を見たい」といった場合、１つのボタンを押すだけで、ゾーンの設定、電源投入、入力選択、音場設定、ナイトリスニングモードの設定、ＤＶＤ再生といった必要な一連の操作や設定が、呼び出された組合せ情報に基づいて実行される。
さらに、操作子に割り付けられている組合せ情報を容易に変更することができるため、日常のシーンに対応する組合せ情報をアクセス性の高い操作子に割り当てておくことにより、日常の操作シーンを確実に、かつ、簡単に再現することができる。
さらにまた、操作子に自分の好みの設定をカスタマイズして登録しておけば、ワンボタンで、前回自分が気に入って使っている設定を呼び出して使うことができる。このとき、元となる組合せ情報（シーンテンプレート）を基にカスタマイズすることにより、ユーザーの希望を事前に汲み取ることとなり、設定パラメータを減らし、必要最低限に絞られた形でカスタマイズが可能で、知識のない人でも違和感なくカスタマイズすることができる。
さらに、シーンテンプレートに基づいて作成したユーザー独自の組合せ情報（シーンデータ）を記憶部に記憶するようにしているので、必要とされるＲＡＭ容量が少なくて済むので、安価なマイクロコンピュータを使用することができ、コストダウンを図ることができる。
【発明を実施するための最良の形態】
【０００９】
まず、本発明における用語について説明する。
本発明において、「シーン」とは、ユーザーから見たＡＶ装置の使い方、すなわち、ＡＶ装置を使用してユーザーが実現したいこと（ＣＤを聴く、ＤＶＤで映画を見るなど）をいう。
また、「シーンデータ」とは、シーンを実現するための各種設定（必要な設定、必要な操作、必要な外部機器との連携）をまとめてパッケージ化した情報（組合せ情報）をいう。ここで、必要な設定とは、例えば、音場設定、ナイトリスニングモード（時間帯によって、大きな音をださないようにするための機能）の設定、サラウンドモードの設定などであり、必要な操作とは、電源投入、ゾーンの切替、ボリュームの調整、入力ソースの選択、オーディオセレクト（入力モード）の切替、ミュートの解除などであり、必要な外部機器との連携とは、連携操作対応ＤＶＤプレーヤーなどの電源制御、ＤＶＤの再生などである。
さらに、「シーンテンプレート」は、あらかじめシステムに準備されている「シーンデータ」である。ユーザーは、このシーンテンプレートを元にカスタマイズすることにより独自のシーンデータを作成することができる。
【００１０】
本発明は、ＡＶアンプやホームシアター向け商品などの各種ＡＶ装置に適用することができるが、ここでは、ＡＶレシーバに適用した実施の形態について説明する。
図１は、本発明の一実施の形態であるＡＶレシーバ１の全体構成を示すブロック図である。
この図において、１１はこのＡＶレシーバ全体の制御を行う制御部、１２は表示部、操作部及びリモコン受光部などからなるユーザーインターフェース部、１３は電源部、１４はＡＭ放送やＦＭ放送を受信するチューナである。前記制御部１１には、ＣＰＵ、制御プログラムや複数のシーンテンプレートなどのデータが格納されたＲＯＭ、及び、ユーザーによりカスタマイズされたシーンデータや各種データが記憶されるＲＡＭが含まれている。
１５は、アナログ音声入力端子２１、入力切替部２２、ボリューム調整及び経路切替部２３を備え、ディジタル音声信号処理部１７との間にＡ／Ｄ変換器（ＡＤＣ）２４及びＤ／Ａ変換器（ＤＡＣ）２５が設けられたアナログ音声信号処理部である。前記入力切替部２２は、前記アナログ音声入力端子２１及び前記チューナ１４からの入力信号を前記ボリューム調整及び経路切替部２３又はＡＤＣ２４に出力する。
１６は、前記ボリューム調整及び経路切替部２３からの出力を増幅するパワーアンプ２６、前記パワーアンプ２６の出力が入力されるリレーＡ２７及びリレーＢ２８を有するパワーアンプ部である。リレーＡ２７及びリレーＢ２８にはスピーカが接続される。
【００１１】
１７は、ディジタル音声入力端子２９、該ディジタル音声入力端子２９からの信号が入力されるディジタル・オーディオ・インターフェース・レシーバ（ＤＩＲ）３０、デコーダ３１、音場付加、スピーカ調整及び環境補正などの処理を行うＤＳＰ部３２を有するディジタル音声信号処理部である。前記デコーダ３１は、前記ＡＤＣ２４、前記ＤＩＲ３０又は後述するＨＤＭＩリピータ３５から入力されるマルチチャンネル信号をデコードして前記ＤＳＰ部３２に出力し、該ＤＳＰ部３２の出力は前記ＤＡＣ２５でアナログ信号に変換され、前記ボリューム調整及び経路切替部２３に出力される。
１８は、ＨＤＭＩ（High-Definition Multimedia Interface）端子３３、入力選択部３４、ＨＤＭＩリピーター３５及びトランスミッター３６を含むディジタルインターフェース部である。前記ＨＤＭＩ端子３３から入力された信号は入力選択部３４を介してＨＤＭＩリピータ３５に入力され、ディジタルオーディオ信号は前記デコーダ３１に出力され、ビデオ信号はトランスミッタ３６を介してＨＤＭＩ端子３３からモニター装置などの外部機器に出力される。
【００１２】
１９は、ディジタルビデオ処理及びＧＵＩ処理部３７、ビデオエンコーダ３８及びビデオデコーダ３９を含むディジタルビデオ信号処理部である。前記ディジタルビデオ処理及びＧＵＩ処理部３７は前記ＨＤＭＩリピータ３５、前記トランスミッタ３６、ビデオエンコーダ３８及びビデオデコーダ３９に接続されており、前記ＨＤＭＩリピータ３５又は前記ビデオデコーダ３９からの入力信号に対して所定の処理を行い、前記ＨＤＭＩリピータ３５、トランスミッタ３６又はビデオエンコーダ３８に出力する。
２０は、アナログビデオ入出力端子４０、入力切替部４１、バッファアンプ４２及び４３を有するアナログビデオ信号処理部である。前記アナログビデオ入力端子端子４０の入力端子から入力されたビデオ信号は入力切替部４１及びバッファアンプ４２を介して前記ビデオデコーダ３８に入力され、前記ビデオエンコーダ３９の出力はバッファアンプ４３を介してアナログビデオ入出力端子４０の出力端子から外部機器に出力される。
なお、この図には記載していないが、キッチンなど別の部屋に設置されたスピーカから再生するための、別ゾーン用入力切替部、別ゾーン用ボリューム調整及び経路切り替え部、別ゾーン用パワーアンプ、別ゾーン用リレーも設けられており、別の部屋などにおいても再生を行うことができるようになされている。
【００１３】
前記制御部１１は、装置本体に設けられた操作部やリモコンなどの外部操作機器からの操作信号及び後述のように呼び出された組合せ情報（シーンテンプレートやシーンデータ）に含まれている設定情報に基づいて、前記各構成要素の制御を行う。
すなわち、制御部１１は、前記ユーザーインターフェース部１２に対して、操作制御、リモコン信号の受信及び表示制御を行い、電源部１３に対しては、プロテクション制御、電源オン・オフ制御及びモード制御などを行う。
また、前記チューナ１４の制御を行い、前記アナログ音声信号処理部１５に対しては、前記入力切替部２２の入力選択、前記ボリューム調整及び経路切替部の経路制御とボリューム制御を行う。
さらに、前記パワーアンプ部１６に対しては、前記リレー２７及び２８のオン・オフ制御及びパワーアンプ２６の出力制御の制御信号を供給する。
さらにまた、前記ディジタル音声信号処理部１７に対しては、入力選択、経路制御、音声デコード制御、音場及び環境補正制御の各制御信号を供給し、前記ディジタルインターフェース部１８と前記ディジタルビデオ信号処理部１９に対しては、映像信号処理制御、入力切替、経路制御、ＧＵＩメニュー制御及びＨＤＭＩ制御のための各制御信号を出力する。
さらにまた、前記アナログビデオ信号処理部２０に対しては、入力選択と経路制御を行う制御信号を供給する。
【００１４】
また、このような構成を有するＡＶレシーバ１には、スピーカ、ＤＶＤプレーヤー、ＣＤプレーヤー、ＤＶＤレコーダー、ディジタルＴＶチューナ、ケーブルＴＶチューナ、ゲーム機などの各種外部機器が接続される。
この図に示した例では、前記アナログ音声入力端子２１及びＨＤＭＩ端子３３にはＣＤやＤＶＤなどの記録メディア５４を再生するＤＶＤプレーヤ５３の出力が接続されている。
また、前記ＨＤＭＩ端子３３にはテレビモニター５５がされており、前記前記ディジタル音声入力端子２９及びアナログビデオ入力端子４０にはゲーム機５６の出力が接続されている。
そして、前記パワーアンプ部１６の第１のリレーＡ２７に例えば音楽観賞用の第１のスピーカ出力Ａ５１が接続されており、前記第２のリレーＢ２８には映画観賞用の第２のスピーカ出力Ｂ５２が接続されている。
【００１５】
図２は、前記ＡＶレシーバ１の外観の一例を示す正面図である。
この図において、６１は電源のオン（入）／スタンバイ（待機）を切り換えるためのスタンバイ／オンスイッチ、６２は音場プログラムを選択するためのプログラム選択スイッチ、６３はシーンデータが割り付けられているシーンボタン、６４は再生する入力ソースを選択するための入力選択スイッチ、６５はボリュームつまみ、６６は本体表示部である。なお、スタンバイ状態のときには、前記ＣＰＵとリモコン受光部には電源が供給されるようになされている。
この図に示すように、この例では、４個のシーンボタン６３がＡＶレシーバ１の正面のアクセス性の良い場所に設けられている。各シーンボタンには、それぞれに対応する番号１〜４が付されているとともにＬＥＤが内蔵されており、そのシーンボタンが操作されたときなどに内蔵されているＬＥＤを点灯させることにより、そのシーンボタンの番号（１〜４）が光って見えるように構成されている。
これらの各種ボタンは、図１におけるユーザーインターフェース部１２に属するものであり、各ボタンからの信号は、前記制御部１１に入力され、ユーザー操作に対応する制御を行うための制御信号が制御部１１からそれぞれ対応する構成要素に出力されることとなる。
【００１６】
図３は、リモコン７１のキー配置の一例を示す図である。
この図において、７２は入力選択を行うための入力選択ボタン（ＤＶＤ、ＣＤなどと記入されている）、７３は前記シーンボタン６３と同様のシーンボタン、７４は入力機器を操作するための操作ボタン（矢印キー、ＰＬＡＹ、ＳＫＩＰなど）である。なお、操作ボタン７４の機能は、選択されたシーンデータに応じて設定される。
この図に示すように、リモコン７１の中央部の操作しやすい場所に前記シーンボタン７３が４個設けられている。このシーンボタン７３にも、本体１に設けられたシーンボタン６３と同様に、番号１〜４が付されている。
なお、前記シーンボタン６３及びシーンボタン７３の個数は４個に限られることはなく、任意の個数とすることができる。
【００１７】
装置本体に設けられたシーンボタン６３とリモコン７１に設けられたシーンボタン７３の対応する番号のシーンボタンには、同一のシーンデータが割り付けられており、シーンボタン６３と７３は同一の機能を実行するようにされている。
本発明のＡＶ装置においては、あらかじめ複数のシーンテンプレートが前記ＲＯＭ中に記憶されており、その中の最も使用頻度の高い４個のシーンテンプレートを前記４個のシーンボタンに割り付けて出荷されている。ユーザーは、前記４個のシーンボタンの中から自分の実現したい使用形態を選択する（シーン呼び出し）。
例えば、「ＤＶＤで映画を見たい」といった場合、そのシーンのシーンテンプレートが割り付けられている１つのシーンボタンを押すだけで、ゾーン設定、電源制御、入力選択、音場設定、ナイトリスニングモード設定、ＤＶＤ再生といった、必要とされる一連の操作や設定の情報がそのシーンテンプレートから呼び出され、対応する操作や設定が実行される。  
これにより、ユーザーは、装置を購入後すぐに代表的シーンを簡単に実現でき、購入後すぐに装置を使用することができる。
また、ユーザーが操作に慣れてきたり、時間が経つと、ユーザーはシーンボタンに割り付けられているシーンテンプレートを変更したいと思うようになる場合がある。このような場合に、ユーザーは前記シーンボタンに割り付けられているシーンテンプレートを変更することができる（簡単シーン割付）。
さらにユーザーが操作に慣れてくると、あらかじめ準備されているシーンテンプレートでは飽き足らず、自分好みのシーンデータを作成したいという要求がでてくる。このような場合、ユーザーはシーンテンプレートを元にカスタマイズして新たなシーンデータを作成し、シーンボタンに割り付けることができる（シーンカスタマイズ）。
【００１８】
図４は、シーン呼び出し、簡単シーン割付及びシーンカスタマイズの各状態の遷移を示す図である。
前記シーンボタンが操作されないときは、シーン非呼び出し状態８１にある。このとき、シーンボタンのＬＥＤは消灯状態となっている。このシーン非呼び出し状態８１においてシーンボタン６３又は７３のうちの目的のシーンのボタンが押されると、シーン呼び出し状態８２に移行し、そのシーンのシーンデータが呼び出される。すなわち、前記制御部１１はメモリからそのシーンデータの各種設定データや操作データを読み出し、対応する処理部に制御信号を供給する。
【００１９】
図５は、前記シーンボタン６３又は７３が押されてシーン呼び出し状態８２となった場合の表示部における表示の一例を示す図であり、（ａ）及び（ｃ）は、テレビモニターが接続されており、操作時に該テレビモニターに表示されるオンスクリーン表示（ＯＳＤ：on-screen display）又はＧＵＩによる操作を行うときの該テレビモニターにおける（ＯＳＤ／ＧＵＩでの）表示例、（ｂ）及び（ｄ）は本体表示部６６における表示例を示す図である。
図５に示す例は、番号１が付されたシーンボタン６３又は７３が押されたときの表示例を示すもので、この例では、シーンボタン１には「Watch DVD Movie」という名前のシーンテンプレートが割り当てられている場合を示している。図示するようにシーンボタン１を操作すると、（ａ）で示すモニターの画面及び（ｂ）で示す本体表示部６６の画面に、シーンボタン１に割り当てられているシーンの名称「Watch DVD Movie」が表示される。なお、別の部屋に配置されたスピーカからも再生を行うマルチゾーンの設定がされているときには、（ｃ）及び（ｄ）に示すように、該シーンボタン１に割り付けられているゾーン２に対して割り当てられているシーンの名称（この例では、「Listen XM Music」）も、前記メインゾーンに対して割り当てられているシーンの名称と切り替えて表示される。
このように、この実施の形態のＡＶ装置はマルチゾーン機能を有しており、各シーンボタンに異なるゾーンに対するシーンデータを割り付けることができるように構成されている。
なお、シーン呼び出し状態となってから所定時間経過した後には、前記ＯＳＤ／ＧＵＩでの表示はされなくなるが、本体表示部６６では前記（ｂ）又は（ｄ）のシーン名称は継続して表示されている。
【００２０】
このように、本発明においては、シーンデータの名称が、「ＤＶＤ入力」などといった呼び方でなく、「ＤＶＤで映画を見る」、「ハイファイディスクを聴く」、「ハイファイのＣＤを聴く」、「ラジオを聴く」など、実際のユーザーのユースケース、すなわち、ユーザーが実際に行いたいことを表す言葉（メディアとそれによって再生するコンテンツの内容に基づいた名前）とされている。したがって、シーンテンプレートを選択する場合にも、容易に選択することができる。
【００２１】
このシーン呼び出し状態８２において、呼び出されているシーンデータに関連する設定を変更する操作が行われたときには、前記シーン非呼び出し状態８１に移行する。例えば、ユーザーにより入力切替スイッチが操作されて、呼び出されていたシーンデータとは異なる入力が選択されたときなどのように、シーンに関連する設定が変更されシーンからはずれた状態となったときには、シーン非呼び出し状態８１となる。
【００２２】
また、シーン呼び出し状態８２となってからもシーンボタンが連続して押されており所定時間（例えば、１０秒）経過すると、シーン変更状態８３に移行する。すなわち、ユーザーが割り付けられているシーンを変更したいシーンボタンを長押しすると、シーン変更状態８３に移行する。このとき、そのシーンボタンのＬＥＤは点滅状態となる。この状態で、ユーザーは、本体表示部６６、ＯＳＤあるいはＧＵＩの表示とリモコンの右方向キー、左方向キーなどを使用して、そのシーンボタンに割り付けたいシーンテンプレートを選択する。なお、シーン変更の詳細については後述する。
そして、選択が終了したら、再度そのシーンボタンを押すことによってその変更を確定させ、シーン呼び出し状態８２に戻る。また、所定時間（例えば、３０秒）以上無操作の状態が続いたときには、前記シーン非呼び出し状態８１に戻る。
【００２３】
前記シーン変更状態８３になった後、所定時間（例えば、１０秒）以内に、リモコン７１の特定のキー（例えば、DISPLAYキー）が押されたときには、シーン詳細カスタマイズモード８４に移行する。このシーン詳細カスタマイズモード８４において、元となるシーンテンプレートをカスタマイズして新たなシーンデータを作成してシーンボタンに割り付けることができる。なお、その詳細については後述する。
そして、詳細設定が終了した後、そのシーンボタンを再度押すか、メニューにて確定を選択することにより、前記シーン変更状態８３に戻る。シーン変更状態８３からシーン非呼び出し状態８１及びシーン呼び出し状態８２への移行については前述の通りである。
【００２４】
以下、上述の各状態について詳細に説明する。
（シーン呼び出し）
図６は、本発明のＡＶレシーバ１を購入したときからセットアップを行い、ユーザーが所望の動作をさせるまで（簡単なセットアップ及び簡単操作）の流れを示すフローチャートである。
ユーザーは、本発明の製品を購入後、製品に付属している目的別簡易設定ガイドの中から最初にやりたいことに対応するものを見る（Ｓ１）。前記目的別簡易設定ガイドは、従来の厚い取り扱い説明書とは異なり、使用の態様別の１枚の説明書に、外部機器との接続や結線の方法と目的に対応したシーンボタンを押すことについての説明が記載されており、最後に前記シーンボタンを押した時点で目的を達成することができるようになっている。ここでは、ＤＶＤプレーヤーで映画を観賞することがユーザーのやりたいことであるとする。ユーザーは、ステップＳ１で、「ＤＶＤで映画を見る」と記載された簡易設定ガイドを選択する。他に、「ＣＤを聴く」、「ＦＭを聴く」、「ＴＶを見る」などの頻度の高いユースケースについての簡易設定ガイドが準備されている。そして、これらに対応するシーンテンプレートがシーンボタン６３及び７３の各番号にあらかじめデフォルトで割り付けられている。
ユーザーは、該選択した簡易設定ガイドに従って、ＡＶレシーバにスピーカを結線し（Ｓ２）、ＤＶＤプレーヤーの接続を行い（Ｓ３）、ＡＶレシーバ及びＤＶＤプレーヤーの電源プラグをコンセントに挿す（Ｓ４）。前記簡易設定ガイドには、ＤＶＤで映画をみるために必要な最低限の接続が記載されており、これにより、ＤＶＤコンテンツを再生するために必要な接続を行うことができる。
【００２５】
次に、ユーザーは、ＤＶＤプレーヤーに観賞したいＤＶＤディスクを入れ（Ｓ５）、前記簡易設定ガイドに従って、「ＤＶＤで映画を見る」というシーンテンプレートが割り付けられているシーンボタン６３又は７３（例えば、番号１が付されているシーンボタン）を押す（Ｓ６）。これにより、前記制御部１１の制御により、「ＤＶＤで映画を見る」というシーンが実現される（Ｓ１０）。
すなわち、前記制御部１１は、ＡＶレシーバの電源をオンとし（Ｓ１１）、入力をＤＶＤプレーヤーに切り替え（Ｓ１２）、音場をMovie Theaterに切り替え（Ｓ１３）、ナイトリスニングモードをCinemaに切り替える（Ｓ１４）。そして、接続されているＤＶＤプレーヤーが連携操作対応のプレーヤーであるときには、ＤＶＤプレーヤーの電源をオンとし（Ｓ１５）、入力ソースの再生を開始させる（Ｓ１６）。
このように、対応する１つのシーンボタンを押すのみで、ＤＶＤを視聴することができる状態になる。
【００２６】
図７は、前記「ＤＶＤで映画を見る。」というシーンが実現されたときのＡＶレシーバ１の状態を示す図である。
この図及び以下の図において、ハッチングされている部分は、その機能が動作しない部分であり、信号は、太線のように流れる。また、楕円で囲まれたコメント部分の処理が、前記シーンボタンに対する１回の操作により、自動的に実現される部分である。すなわち、ＡＶレシーバの電源を投入し、ＨＤＭＩ端子を使用して、ＤＶＤ入力を選択し、再生モードをMovie Theater音場で、ナイトリスニングモードをオンとし、ビデオをＨＤＭＩでＴＶモニターに出力し、ボリュームを使いたい値に合わせ、映画用のスピーカから再生する。また、前記操作ボタン７４は、ＤＶＤプレーヤーの操作を行う機能に設定される。
【００２７】
このように、本発明によれば、シーンの実現に必要な選択及び設定がシーンボタンを選択するという１つの動作に応じて実行されるため、ユーザーが実現したい状態を実現するために、機能設定と記憶、操作など煩わしい設定や操作を全く行わなくても良い。
また、装置の機能を覚えなくても、シーンの条件に合致したメーカー推奨の最適設定で映画を視聴することが可能となる。
さらに、接続からシーン実現までの一連の流れを記載した簡易設定ガイドとすることで、簡単なセットアップから使える状態まで、最速で提供できる。オーソドックスな使い方をする場合には、分厚い取り扱い説明書を読む必要がなく、買ってきてから数分で映画を見ることができる。
【００２８】
図８は、音楽ＣＤを聴くという日常操作をシーンボタンを使用して行うときの流れを示すフローチャートである。なお、ＤＶＤプレーヤーにＣＤがセットされているものとする。
ユーザーが「ＣＤを聴く（ＤＶＤプレーヤーを使ってＣＤを聴く）」というシーンのシーンテンプレートが割り付けられているシーンボタンを操作すると（Ｓ４１）、「ＤＶＤプレーヤーを使ってＣＤを聴く」というシーンが実現される（Ｓ５０）。すなわち、レシーバの電源をオンし（Ｓ５１）、インプットをＤＶＤ（アナログ入力のＤＶＤ入力）に切り替え（Ｓ５２）、映像回路の電源をオフとし（Ｓ５３）、音場を２チャンネルステレオに設定し（Ｓ５４）、ナイトリスニングモードをオフに設定し（Ｓ５５）、音楽専用のスピーカ出力に切り替え（Ｓ５６）、その他このシーンに適した内容に設定し（Ｓ５７）、ＤＶＤプレーヤーが連携操作対応プレーヤーであるときには、ＤＶＤプレーヤーの電源をオンとし（Ｓ５８）、ソースの再生操作を行う（Ｓ５９）。
【００２９】
図９は、「ＤＶＤプレーヤーでＣＤを聴く」というシーンが実現されたときのＡＶレシーバ１の内部接続状態を示す図である。なお、この図において、濃い色とされている機能部（チューナ１４、ディジタルインターフェース部１８及びディジタルビデオ信号処理部１９）は、電源がオフとされる。このシーンのシーンボタンが操作されたときには、電源を入れ、ＤＶＤプレーヤーを使用し、アナログ入力を使用してＤＶＤ入力を選択し、再生モードをピュアダイレクトモードとし、ナイトリスニングモードをオフし、ビデオ部電源をオフし、アナログの最短経路でボリュームを使いたい値に合わせ、音楽用のスピーカから出力する。なお、ピュアダイレクトモードは、不必要な回路の電源をオフとし、極力何も処理を掛けない状態で素性のよい音楽を楽しむモードである。また、操作ボタン７４の機能をＤＶＤプレーヤーを操作する機能に設定される。
これにより、対応するシーンボタンを押すという簡単な操作で、高品質の音楽を楽しむことができる。
【００３０】
図１０は、「ゲームをする」というシーンのシーンテンプレートが割り付けられたシーンボタンが押されて、「ゲームをする」というシーンが実現されたときのＡＶレシーバ１の内部接続を示す図である。
この場合には、ＡＶレシーバの電源を入れ、ゲーム機を使用し、ゲームメディアを入れ、ディジタル音声入力端子を使用してゲーム入力を選択し、再生モードをアクションゲーム音場とし、ビデオ信号をＨＤＭＩでＴＶモニターに出力し、ナイトリスニングモードをオフとし、ボリュームを使いたい値に合わせ、映画用のスピーカから再生する。
このように、ゲーム機を接続し、対応するシーンテンプレートが割り付けられているシーンボタンを押すだけで、ゲームをするときに最適な設定とすることができる。
【００３１】
図１１は、「別の部屋で、ＦＭでいつもの番組を聴く」というシーンのシーンテンプレートが割り付けられたシーンボタンが押されて、そのシーンが実現されたときのＡＶレシーバ１の内部接続を示す図である。この図においては、前記図１において記載が省略されていた、別ゾーン用入力切替部４４、別ゾーン用ボリューム調整及び経路切替部４５、別ゾーン用パワーアンプ４６、別ゾーン用リレー４７及びキッチンなどの別の部屋に設置された別ゾーン用スピーカ５７が記載されている。
この場合には、ＡＶレシーバと内蔵チューナの電源を入れ、再生したいゾーンを選択し、チューナ入力を選択し、ＡＭ／ＦＭを切り替え、放送局を選択し、別ゾーン用入力切替部でチューナ入力を選択し、別ゾーン用のボリュームを使いたい値に合わせ、別ゾーン用のスピーカから再生する。また、前記操作ボタン７４中の上下方向の矢印キーの機能が選局を行うことができる機能に切り換えられる。
これにより、シーンボタンを押すだけで、別ゾーン用のスピーカからＦＭ放送番組を再生させることができる。
なお、１つのシーンボタンに異なるゾーンに対応する複数のシーンデータを割り当てておき、該シーンボタンを選択することで該複数のシーンデータを呼び出すようにすることもできる。
【００３２】
（簡単シーン割付）
次に、前記シーン変更状態８３（図４）においてシーンボタン６３及び７３に対するシーンテンプレートの割付を変更する処理について説明する。前述のように、前記４個のシーンボタンにはあらかじめ最も使用頻度の高いシーンテンプレートが割り付けられているが、その中に希望のシーンのシーンテンプレートが含まれていないとき、装置中に用意されている豊富なシーンテンプレートの中から選択して、シーンボタンに割り付けるシーンテンプレートを変更することができる。
図１２は、簡単シーン割付処理の流れを示すフローチャートである。
前述のように、割付を変更したいシーンボタンを長押しすることで、シーン変更状態８３となる（Ｓ７１）。
このとき、ユーザーは本体の入力選択スイッチ６４、リモコンの操作ボタン７４中の左右キーなどを操作することにより、ＡＶレシーバ１内のＲＯＭに記憶されている数多くのシーンテンプレートの中から、そのシーンボタンに割り付けたいシーンテンプレートを選択することができる（Ｓ７２）。
【００３３】
図１２中には、ＡＶ装置内に用意されているシーンテンプレートの一例が示されているが、これ以外にも数多くのシーンテンプレートが前記制御部１１内のＲＯＭ中に記憶されている。なお、ここで、「LAST STATION」は前回の値を使用することを示し、「SYSTEM」は現在の設定に従うことを示している。
このように、ユーザーのやりたいことに対応する数多くのシーンテンプレートが準備されているため、ユーザーは実現したいシーンを選択するだけで、シーンボタンへのシーンテンプレートの割り付けを行うことができる。また、大部分のユーザーは各種機能設定のカスタマイズを行う必要がなく、詳細設定や操作内容を知る必要がない。
最近では、ＤＶＤＡｕｄｉｏ、ＳＡＣＤ、ＣＤ、ＤＶＤなどは一つのＤＶＤプレーヤーで再生することができることが多く、このようにＤＶＤの入力で４つのメディアを再生することができ、さらに、コンテンツも映画と音楽というように多種多様なコンテンツが或る中で、それぞれの場合にどのような音場再生状態を選択するかという問題があったが、本発明のように、種々の場合に応じた多くのシーンテンプレートを準備することにより、このような問題にも対応することができる。
そして、このように多くのシーンテンプレートの中から、所望のシーンテンプレートを選択したら、割付したいシーンボタンを再度押すことによりそのシーンボタンに希望のシーンテンプレートが割り付けられる（Ｓ７３）。
【００３４】
図１３は、シーン変更状態におけるモニター画面のＯＳＤ又はＧＵＩによる表示及び本体表示部６６の表示の一例を示す図である。
シーンボタン（ここでは、シーン１のボタン）を長押ししてシーン変更状態８３になると、ＴＶモニターには、図１３の（ａ）に示すように、シーンボタン１に割り付けられているシーンテンプレートの変更待ちであることを示す表示（「SCENE 1 renewal?」）と現在割り付けられているシーンテンプレートの名称（「Watch DVD Movie」）が表示される。また、図１３の（ｂ）に示すように、本体表示部６６にも同様の表示が行われる。
この状態において、ユーザーがリモコン７１の入力選択ボタン７２（若しくは矢印キー）又は装置本体の入力選択スイッチ６４を操作すると、あらかじめシステムに用意されているシーンテンプレートが順次呼び出されて、図１３の（ｃ）及び（ｄ）に示すように、その名称が表示される。
このようにして選択されたシーンテンプレートが所望のシーンテンプレート（この例では、「Listen HiFi CD」であるとする。）であるときに、ユーザーが該当のシーンボタン（シーン１）を所定時間（例えば、５秒間）押すと、そのシーンボタンに選択されたシーンテンプレートを割り付ける情報を記憶部に記憶して変更を確定し、図１３の（ｅ）及び（ｆ）に示すように、その旨を表示して、前記シーン呼び出し状態８２に戻る。
【００３５】
このように、多くのシーンテンプレートが記憶されているため、大部分のユーザーは、具体的なシーンテンプレートを選ぶだけで各種機能設定のカスタマイズを行う必要がない。すなわち、不必要な機能を知ることなく装置を使用目的に最適な設定で使用することができる。
また、シーンテンプレートは、やりたいことの実現目的（ユースケース）で構成されており、映像、音声再生入力の各入力ソースごとの多数のライブラリがある。実現目的でのシーン選択であるため、直感的に選択することができる。
また、各シーンテンプレートには、シーンごとに必要なパラメータをメーカーが適宜選定し、それらを設定し反映するようになされており、必要としない設定の変更や操作は行われないようになっている。
【００３６】
（詳細なシーンカスタマイズ）
次に、前記シーンカスタマイズ状態８４（図４）における詳細なシーンカスタマイズについて説明する。ＡＶ装置内に用意されているシーンテンプレートの中に好みのシーンのシーンテンプレートがなかったり、あるシーンテンプレート内の一部の設定を変更したい場合には、前記豊富に用意されているシーンテンプレートを元に編集することにより、ユーザー独自のシーンデータを作成し、シーンボタンに登録することができる。
図１４は、詳細なシーンカスタマイズ処理の流れを示すフローチャートである。
前述のようにシーンボタンを長押ししてシーン変更状態８３に移行し（Ｓ８１）、リモコンの所定のキー（例えば、DISPLAYキー）を押すことでシーンカスタマイズ状態８４となる（Ｓ８２）。
このシーンカスタマイズ状態で、ユーザーは、前記リモコン７１のキー等を使用して、カスタマイズの元となるシーンテンプレートを選択し、そのシーンに関連した詳細設定を行う（Ｓ８３）。
具体的には、前記簡単シーン割付の場合と同様に、カスタマイズの元となるシーンテンプレートを選択し、各項目の設定内容を画面上に一覧表示する（Ｓ８４）。このとき、カスタマイズする機能の大枠で、設定項目の有効、無効を選択する（Ｓ８５）。すなわち、そのシーンに応じて、カスタマイズの対象となる項目とそうでない項目を決定し、カスタマイズの対象となる項目のみを一覧表示する。次に、ユーザーは、一覧表示された項目の中から、必要なもののみをカスタマイズし（Ｓ８６）、必要のないパラメータは、マスキング（システム設定のまま維持、前値保持）する（Ｓ８７）。このようにして、シーンの詳細設定を行った後、割り付けしたいシーンボタンを再度押すか、メニューにて確定を選択することにより、その内容を登録する（Ｓ８８）。なお、登録については後述する。
【００３７】
図１５はシーンカスタマイズ状態におけるＯＳＤ又はＧＵＩによるＴＶモニターの表示及び本体表示部６６の表示の一例を示す図である。
前述のように、リモコンの所定のキー（この例では、DISPLAYキー）が押され、シーンカスタマイズ状態となったとき（Ｓ８３）、前記モニター及び本体表示部６６には、選択されているシーンテンプレートのデータが表示される。ＯＳＤ又はＧＵＩによるモニター画面には、図１５の（ａ）及び（ｃ）に示すように、そのシーンテンプレート（この例では、「Watch DVD Movie」）の設定項目が一覧表示される。この例では、２画面を使用して設定項目を表示している。また、本体表示部６６には、図１５の（ｂ）及び（ｄ）に示すように、そのシーンの設定項目が１項目ずつ表示され、リモコン７１のキー操作により表示項目が切り替えられるようになっている。
【００３８】
ユーザーは、該表示されている項目のうち変更したい項目を選択して、その内容を変更する。
例えば、図１５の（ａ）又は（ｂ）が表示されている状態で、リモコン１７の所定のキー（例えば、Enterキー）が操作されると、変更対象項目が順次切り替えられる。
Enterキーの１回の操作でRENAME（名称変更）状態となり、元となるシーンテンプレートの名称「Watch DVD Movie」の先頭の文字「W」が点滅状態となる。そこで、左右キーで編集対象の文字位置を移動し、上下キーで文字を切り替えるなどして、所望のシーン名に変更することができる。
次のEnterキーの操作により、入力ソースが変更の対象となる。この状態で、左右キーを押すことにより、入力ソースをDVD／CD／DTV／FM/AM／DAB／XM／MULTI CHを選択することができる。
また、「AUDIO SELECT」（入力モードの切替）を変更するときには、左右キーの操作により、[SYSTEM]／AUTO／HDMI ／ANALOG／DIGITALを選択することができる。なお、[]はデフォルト位置を示す。
【００３９】
図１５の（ｃ）又は（ｄ）に移り、「MODE」を変更するときは、左右キーの操作により、SYSTEM／[各音場]／STRAIGHT／PureDirect(DirectStereo)／Music Enhancerを選択することができる。
さらにまた、「SUR DECODE」を変更するときは、左右キーの操作により、[SYSTEM]／PL／PLIIMovie／PLIIMusic／Neo:6Cinema／Neo:6Music／Neural／(CSII)を選択することができる。
さらにまた、「EXTD SUR」を変更するときは、左右キーの操作により、[SYSTEM]／AUTO／ON／OFFを選択することができる。
さらにまた、「NIGHT」（ナイトリスニングモード）を変更するときは、左右キーの操作により、[SYSTEM]／OFF／LOW／MID／HIGHを選択することができる。
【００４０】
そして、左右キーの操作により、SET又はCANCELを選択することができる。SETが選択されたときは、ユーザーにより変更された設定データが保存され、前記図１３の（ｅ）又は（ｆ）と同様に、変更が完了した旨の表示がなされた後、前記シーン変更状態８３に移行する。また、CANCELが選択されたときは、変更された設定データを保存することなく前記シーン変更状態８３に戻る。なお、SETを選択する代わりに、該当するシーンボタンを所定時間（例えば、５秒間）以上押しても、SETを選択したときと同じ動作が行われる。
押されたシーンボタンが該当するシーンボタンでなかったときは、図１５の（ｅ）又は（ｆ）に示すように、正しいシーンボタンを指示する警告表示が行われる。
【００４１】
このように、元となるシーンテンプレートが呼び出された状態で可視化されている有効な項目から選択するようになされているため、修正必要項目が絞られており、分かりやすい。必要最低限の選択項目であるので、直感的に作業をすることができる。例えば、ラジオを聴きたいときに有効な機能と、ＤＶＤで映画を見たいときに有効な機能は同じではない。本発明のように、シーン別に切り分けることによって、その項目を可視化するか否かを選択することができ、不必要な項目をマスキングすることができる。
また、必要な項目が画面で一覧で表示されるので、設定全体の把握がしやすい。
さらに、設定項目は、現状の設定に従うという選択が可能で、不必要な項目の設定及び呼び出しをしなくても良い。
さらにまた、カスタマイズしたシーン名称を変更することができ、より分かりやすいシーン名を設定することができる。
なお、上記においては、シーンテンプレートを元にしてカスタマイズする場合について説明したが、シーンボタンに割り付けられているシーンデータがカスタマイズされたシーンデータである場合には、該シーンデータを元にさらにカスタマイズしたシーンデータを作成することととなる。
【００４２】
図１６は、システムで準備されているシーンテンプレートと、ユーザーによりカスタマイズされたシーンデータについて説明するための図である。
この図において、９１は前記ＲＯＭ中に設けられたシーンプリセットメモリ群であり、この中に、前述したように多数のシーンテンプレートが記憶されている。また、９２は前記ＲＡＭ中に設けられたシーンプリセットユーザーメモリであり、前記シーンカスタマイズによりカスタマイズされたシーンデータが記憶される。このシーンプリセットユーザーメモリ９２には、シーン１〜シーン４の４個のユーザーによりカスタマイズされたシーンデータを格納する領域が設けられている。なお、シーンプリセットユーザーメモリ９２に格納されるカスタマイズされたシーンデータの数は４個に限られることはなく、１以上の任意の個数とすることができる。
【００４３】
前述のように、カスタマイズの元となるシーンテンプレートが選択されたとき、該シーンテンプレートは対応するシーンボタンに対応するユーザーメモリに読み出され、このデータが前述のように一覧表示されてカスタマイズが行われる。そして、カスタマイズされたシーンデータは、シーンプリセットユーザーメモリ９２の対応するメモリに記憶される。
そして、前記４個のシーンボタンそれぞれに対して、前記シーンプリセットメモリ９１に記憶されているシーンテンプレート又は前記シーンプリセットユーザーメモリ９２のいずれかを対応付けるデータが、前記ＲＡＭ中に格納される。ユーザーによりシーンボタンが押されたときにそのシーンボタンに紐付けられているシーンデータが前記シーンプリセットメモリ９１又は前記シーンプリセットユーザーメモリ９２から呼び出され、そのシーンデータに含まれている各設定情報や操作情報に基づいて前記制御部１１が対応する設定や操作を行うこととなる。
なお、上記においては、前記シーンプリセットユーザーメモリ９２はＲＡＭであるとして説明したが、ＲＡＭに限らず、フラッシュメモリなど書き換え可能なメモリであればよい。
【００４４】
上記においては、図４に示したように、シーン変更状態８３とシーンカスタマイズ状態８４を別の状態としていたが、シーン変更状態とシーンカスタマイズ状態を一緒にして、シーン変更及びカスタマイズ状態としてもよい。
すなわち、この実施の形態では、前記シーン呼出状態８２から対象シーンボタンを所定時間以上押すことにより、シーン変更及びカスタマイズ状態に移行する。
図１７は、シーン変更及びカスタマイズ状態となったときに表示されるＯＳＤ／ＧＵＩ画面の一例を示す図である。
この図に示すように、シーン変更及びカスタマイズ状態におけるＯＳＤ／ＧＵＩ画面は、そのシーンボタンに割り付けられているシーンデータの名称を表示する領域１０１と、そのシーンデータの各設定項目の内容を表示する領域１０２とからなっており、シーン変更及びカスタマイズ状態となったときに、そのシーンボタンに割り付けられているシーンデータの各設定項目の設定内容が一覧表示される。
【００４５】
図示する状態では、シーン名称が変更対象となっており、ユーザーが前記リモコンの左右矢印キーを操作することにより、そのシーンボタンに割り付けるシーンデータを変更することができる。そして、所望のシーンデータを選択したときに、そのシーンボタンを押すことにより、シーンボタンに割り付けるシーンデータの変更を確定して、前記シーン呼出状態に移行することができる。
また、シーンデータをカスタマイズするときには、図１７のようにシーン名称が変更対象となっている状態から、下向き矢印キーを操作することにより、領域１０２の設定項目が編集対象となる。そして、上下矢印キーにより編集したい設定項目を決定し、左右矢印キーを操作することにより、その設定内容を所望の内容に変更する。変更が終了したときに、そのシーンボタンを押すことにより、設定内容を確定し、該カスタマイズされたシーンデータをそのシーンボタンに割り付けて、前記シーン呼び出し状態に移行する。
このように、この実施の形態では、シーン呼出状態からシーン変更及びカスタマイズ状態に移行したときに、そのシーンボタンに割り付けられているシーンデータの各設定項目の内容が一覧表示される。また、シーンの変更及びカスタマイズもより簡単に行うことができる。
【００４６】
なお、上述の説明においては、ＡＶレシーバ１に設けられたシーンボタン６３及びリモコン７１に設けられたシーンボタン７３を用いてシーンを選択するようにしていたが、操作ボタンや操作キーに限られることはなく、タッチパネルなどであってもよい。
また、リモコン７１以外の外部操作機器からシーンを選択するようにしてもよい。例えば、前記ＡＶレシーバ１がネットワークに接続する機能を有するものであるときには、該ネットワークに接続されたパソコンなどからウェブブラウザプログラムを用いてＡＶレシーバ１にアクセスし、ウェブブラウザの画面上でシーンを選択したり、その内容を編集したりすることもできる。
さらに、上述の実施の形態においては、ＡＶレシーバであったが、本発明はＡＶアンプなど、複数の入力ソースが接続され、それぞれの入力信号に対して、複数種類の信号処理を施して出力する装置に同様に適用することができる。
【図面の簡単な説明】
【００４７】
【図１】本発明のＡＶ装置の一実施の形態であるＡＶレシーバの全体構成を示すブロック図である。
【図２】ＡＶレシーバの外観の一例を示す正面図である。
【図３】リモコンのキー配置の一例を示す図である。
【図４】シーン呼び出し、簡単シーン割付及びシーンカスタマイズの各状態の遷移を示す図である。
【図５】シーン呼び出し状態における表示の一例を示す図である。
【図６】本発明のＡＶ装置を購入したときから、所望の動作をさせるまでの流れを示すフローチャートである。
【図７】「ＤＶＤで映画を見る。」というシーンが実現されたときのＡＶレシーバの状態を示す図である。
【図８】音楽ＣＤを聴くという日常操作をシーンボタンを使用して行うときの流れを示すフローチャートである。
【図９】「ＤＶＤプレーヤーでＣＤを聴く」というシーンが実現されたときのＡＶレシーバの状態を示す図である。
【図１０】「ゲームをする」というシーンが実現されたときのＡＶレシーバの状態を示す図である。
【図１１】「別の部屋で、ＦＭでいつもの番組を聴く」というシーンが実現されたときのＡＶレシーバの状態を示す図である。
【図１２】簡単シーン割付処理の流れを示すフローチャートである。
【図１３】シーン変更状態における表示の一例を示す図である。
【図１４】シーンカスタマイズ処理の流れを示すフローチャートである。
【図１５】シーンカスタマイズ状態における表示の一例を示す図である。
【図１６】システムで準備されているシーンテンプレートとユーザーによりカスタマイズされたシーンテンプレートについて説明するための図である。
【図１７】シーン変更及びカスタマイズ状態におけるＯＳＤ／ＧＵＩ画面の一例を示す図である。
【符号の説明】
【００４８】
１：ＡＶレシーバ、１１：制御部、１２：ユーザーインターフェース部、１３：電源部、１４：チューナ、１５：アナログ音声信号処理部、１６：パワーアンプ部、１７：ディジタル音声信号処理部、１８：ディジタルインターフェース部、１９：ディジタルビデオ信号処理部、２０：アナログビデオ信号処理部、２１：アナログ音声入力端子、２２：入力切替部、２３：ボリューム調整及び経路切替部、２４：Ａ／Ｄ変換器（ＡＤＣ）、２５：Ｄ／Ａ変換器（ＤＡＣ）、２６：パワーアンプ、２７，２８：リレー、２９：ディジタル音声入力端子、３０：ディジタル・オーディオ・インターフェース・レシーバ（ＤＩＲ）、３１：デコーダ、３２：ＤＳＰ部、３３：ＨＤＭＩ端子、３４：入力選択部、３５：ＨＤＭＩリピーター、３６：トランスミッター、３７：ディジタルビデオ処理及びＧＵＩ処理部、３８：ビデオエンコーダ、３９：ビデオデコーダ、４０：アナログビデオ入出力端子、４１：入力切替部、４２，４３：バッファアンプ、４４：別ゾーン用入力切替部、４５：別ゾーン用ボリューム調整及び経路切替部、４６：別ゾーン用パワーアンプ、４７：別ゾーン用リレー、５１，５２：スピーカ、５３：ＤＶＤプレーヤ、５４：記録メディア、５５：テレビモニター、５６：ゲーム機、６１：スタンバイ／オンスイッチ、６２：プログラム選択スイッチ、６３：シーンボタン、６４：入力選択スイッチ、６５：ボリュームつまみ、６６：本体表示部、７１：リモコン、７２：入力選択ボタン、７３：シーンボタン、７４：操作ボタン、９１：シーンプリセットメモリー群、９２：シーンプリセットユーザーメモリー、１０１：シーンデータの名称を表示する領域、１０２：シーンデータの各設定項目の内容を表示する領域
【図１】
0005418650.tif 000002
【図２】
0005418650.tif 000003
【図３】
0005418650.tif 000004
【図４】
0005418650.tif 000005
【図５】
0005418650.tif 000006
【図６】
0005418650.tif 000007
【図７】
0005418650.tif 000008
【図８】
0005418650.tif 000009
【図９】
0005418650.tif 000010
【図１０】
0005418650.tif 000011
【図１１】
0005418650.tif 000012
【図１２】
0005418650.tif 000013
【図１３】
0005418650.tif 000014
【図１４】
0005418650.tif 000015
【図１５】
0005418650.tif 000016
【図１６】
0005418650.tif 000017
【図１７】
0005418650.tif 000018